【手続補正書】
【提出日】平成27年10月23日(2015.10.23)
【手続補正１】
【補正対象書類名】特許請求の範囲
【補正対象項目名】全文
【補正方法】変更
【補正の内容】
【特許請求の範囲】
【請求項１】
サービングセルの時分割複信（ＴＤＤ）構成サブフレームと近隣セルの対応するＴＤＤ構成サブフレームとの間の干渉タイプを判断することと、
前記干渉タイプに基づいて前記サービングセル中の装置のための送信電力を設定することと
を備える、ワイヤレス通信の方法。
【請求項２】
前記サービングセル中の前記装置がユーザ機器（ＵＥ）を備え、送信電力を設定することが、前記ＵＥのためにアップリンク（ＵＬ）開ループ電力制御パラメータのセットを適用することを備える、請求項１に記載の方法。
【請求項３】
干渉タイプを判断することは、
前記サービングセルと前記近隣セルとの対応するサブフレームがＵＬサブフレームであるとき、ＵＬ−ＵＬ干渉タイプを識別することと、
前記サービングセルと前記近隣セルとの対応するサブフレームが前記サービングセル中のＵＬサブフレームと前記近隣セル中のダウンリンク（ＤＬ）サブフレームとを備えるとき、ＵＬ−ＤＬ干渉タイプを識別することと
を備える、請求項２に記載の方法。
【請求項４】
ＵＬ開ループ制御パラメータの前記セットがＵＥ固有構成要素ＰOとセル固有パラメータαとを備え、ＵＬ開ループ電力制御パラメータのセットを適用することが、ＵＬ−ＵＬ干渉タイプをもつ前記ＵＬサブフレーム中で第１のＰOを適用することと、ＵＬ−ＤＬ干渉タイプをもつ前記ＵＬサブフレーム中で第２のＰOを適用することと
を備える、請求項３に記載の方法。
【請求項５】
ＵＬ開ループ制御パラメータの前記セットがＵＥ固有構成要素ＰOとセル固有パラメータαとを備え、ＵＬ開ループ電力制御パラメータのセットを適用することが、ＵＬ−ＵＬ干渉タイプをもつ前記ＵＬサブフレーム中で第１のαを適用することと、ＵＬ−ＤＬ干渉タイプをもつ前記ＵＬサブフレーム中で第２のαを適用することとを備える、請求項３に記載の方法。
【請求項６】
ＵＬ開ループ制御パラメータの前記セットがＵＥ固有構成要素ＰOとセル固有パラメータαとを備え、ＵＬ開ループ電力制御パラメータのセットを適用することが、
ＵＬ−ＵＬ干渉タイプをもつ前記ＵＬサブフレーム中で第１のＰOを適用することと、ＵＬ−ＤＬ干渉タイプをもつ前記ＵＬサブフレーム中で第２のＰOを適用することと、
ＵＬ−ＵＬ干渉タイプをもつ前記ＵＬサブフレーム中で第１のαを適用することと、ＵＬ−ＤＬ干渉タイプをもつ前記ＵＬサブフレーム中で第２のαを適用することと
を備える、請求項３に記載の方法。
【請求項７】
前記サービングセル中の前記装置が基地局（ｅＮＢ）を備え、前記送信電力を設定することが、前記ｅＮＢのためのＤＬ送信電力を設定することを備える、請求項１に記載の方法。
【請求項８】
干渉タイプを判断することは、
前記サービングセルと前記近隣セルとの対応するサブフレームが、両方ともＤＬサブフレームであるか、または両方ともスペシャルサブフレームであるとき、ＤＬ−ＤＬ干渉タイプを識別することと、
前記サービングセルと前記近隣セルとの対応するサブフレームが前記サービングセル中のＤＬサブフレームと前記近隣セル中のＵＬサブフレームとを備えるとき、ＤＬ−ＵＬ干渉タイプを識別することと
を備える、請求項７に記載の方法。
【請求項９】
ＤＬ−ＤＬ干渉タイプＤＬサブフレームの場合、ＤＬ送信電力を設定することが、前記ＤＬ送信電力を固定の全電力ＤＬ送信に設定することを備える、請求項８に記載の方法。
【請求項１０】
ＤＬ−ＵＬ干渉タイプＤＬサブフレームの場合、ＤＬ送信電力を設定することが、前記近隣セルのＵＬ開ループ電力制御パラメータに従って前記ＤＬ送信電力を調整することを備える、請求項８に記載の方法。
【請求項１１】
前記近隣セルの前記ＵＬ開ループ電力制御パラメータが構成要素ＰOとセル固有パラメータαとを備える、請求項１０に記載の方法。
【請求項１２】
サービングセルの時分割複信（ＴＤＤ）構成のサブフレームをアンカーサブフレームのセットと非アンカーサブフレームのセットとにグループ化することと、
アンカーサブフレームの前記セットと非アンカーサブフレームの前記セットとのためのそれぞれのアップリンク（ＵＬ）送信電力を計算することと
を備える、ワイヤレス通信の方法。
【請求項１３】
サブフレームをグループ化することは、
前記サービングセルと近隣セルとの対応するサブフレームが前記サービングセル中のＵＬサブフレームと前記近隣セル中のＵＬサブフレームとを備えるとき、前記サービングセルの１つまたは複数のサブフレームをアンカーフレームに指定すること
を備える、請求項１２に記載の方法。
【請求項１４】
サブフレームをグループ化することは、
前記サービングセルと近隣セルとの対応するサブフレームが前記サービングセル中のＵＬサブフレームと前記近隣セル中の（ダウンリンク）ＤＬサブフレームとを備えるとき、前記サービングセルの１つまたは複数のサブフレームを非アンカーサブフレームに指定すること
を備える、請求項１２に記載の方法。
【請求項１５】
ＵＬ送信電力を計算することが、アンカーサブフレームの前記セットと非アンカーサブフレームの前記セットとのための別個のＴＰＣコマンドを受信することを備える、請求項１２に記載の方法。
【請求項１６】
アンカーサブフレームのためのＵＬ送信電力を計算することが、アンカーサブフレームの前記セットに属するサブフレーム中で計算された前記ＴＰＣコマンドに基づいて、ＵＬ送信電力を蓄積するか、または完全に設定することを備える、請求項１５に記載の方法。
【請求項１７】
非アンカーサブフレームのためのＵＬ送信電力を計算することが、非アンカーサブフレームの前記セットに属するサブフレーム中で計算された前記ＴＰＣコマンドに基づいて、ＵＬ送信電力を蓄積するか、または完全に設定することを備える、請求項１５に記載の方法。
【請求項１８】
サービングセルの時分割複信（ＴＤＤ）構成サブフレームと近隣セルの対応するＴＤＤ構成サブフレームとの間の干渉タイプを判断するための手段と、
前記干渉タイプに基づいて前記サービングセル中の装置のための送信電力を設定するための手段と
を備える、ワイヤレス通信のための装置。
【請求項１９】
前記サービングセル中の前記装置がユーザ機器（ＵＥ）を備え、送信電力を設定するための前記手段が、前記ＵＥのためにアップリンク（ＵＬ）開ループ電力制御パラメータのセットを適用するための手段を備える、請求項１８に記載の装置。
【請求項２０】
干渉タイプを判断するための前記手段は、
前記サービングセルと前記近隣セルとの対応するサブフレームがＵＬサブフレームであるとき、ＵＬ−ＵＬ干渉タイプを識別することと、
前記サービングセルと前記近隣セルとの対応するサブフレームが前記サービングセル中のＵＬサブフレームと前記近隣セル中のダウンリンク（ＤＬ）サブフレームとを備えるとき、ＵＬ−ＤＬ干渉タイプを識別することと
を行うように構成された、請求項１９に記載の装置。
【請求項２１】
ＵＬ開ループ制御パラメータの前記セットがＵＥ固有構成要素ＰOとセル固有パラメータαとを備え、ＵＬ開ループ電力制御パラメータのセットを適用するための前記手段が、ＵＬ−ＵＬ干渉タイプをもつ前記サブフレームのために第１のＰOを適用することと、ＵＬ−ＤＬ干渉タイプをもつ前記サブフレームのために第２のＰOを適用することとを行うように構成された、請求項２０に記載の装置。
【請求項２２】
ＵＬ開ループ制御パラメータの前記セットがＵＥ固有構成要素ＰOとセル固有パラメータαとを備え、ＵＬ開ループ電力制御パラメータのセットを適用するための前記手段が、ＵＬ−ＵＬ干渉タイプをもつ前記サブフレームのために第１のαを適用することと、をもつ前記ＵＬ−ＤＬ干渉タイプサブフレームのために第２のαを適用することとを行うように構成された、請求項２０に記載の装置。
【請求項２３】
ＵＬ開ループ制御パラメータの前記セットがＵＥ固有構成要素ＰOとセル固有パラメータαとを備え、ＵＬ開ループ電力制御パラメータのセットを適用するための前記手段が、
ＵＬ−ＵＬ干渉タイプをもつ前記サブフレームのために第１のＰOを適用することと、ＵＬ−ＤＬ干渉タイプをもつ前記サブフレームのために第２のＰOを適用することと、
ＵＬ−ＵＬ干渉タイプをもつ前記サブフレームのために第１のαを適用することと、ＵＬ−ＤＬ干渉タイプをもつ前記サブフレームのために第２のαを適用することと
を行うように構成された、請求項２０に記載の装置。
【請求項２４】
前記サービングセル中の前記装置が基地局（ｅＮＢ）を備え、前記送信電力を設定するための前記手段が、前記ｅＮＢのためのＤＬ送信電力を設定するための手段を備える、請求項１８に記載の装置。
【請求項２５】
干渉タイプを判断するための前記手段は、
前記サービングセルと前記近隣セルとの対応するサブフレームが、両方ともＤＬサブフレームであるか、または両方ともスペシャルサブフレームであるとき、ＤＬ−ＤＬ干渉タイプを識別することと、
前記サービングセルと前記近隣セルとの対応するサブフレームが前記サービングセル中のＤＬサブフレームと前記近隣セル中のＵＬサブフレームとを備えるとき、ＤＬ−ＵＬ干渉タイプを識別することと
を行うように構成された、請求項２４に記載の装置。
【請求項２６】
ＤＬ送信電力を設定するための前記手段が、ＤＬ−ＤＬ干渉の場合、前記ＤＬ送信電力を固定の全電力ＤＬ送信に設定するように構成された、請求項２５に記載の装置。
【請求項２７】
ＤＬ送信電力を設定するための前記手段が、ＤＬ−ＵＬ干渉の場合、前記近隣セルのＵＬ開ループ電力制御パラメータに従って前記ＤＬ送信電力を調整するように構成された、請求項２５に記載の装置。
【請求項２８】
前記近隣セルの前記ＵＬ開ループ電力制御パラメータが構成要素ＰOとセル固有パラメータαとを備える、請求項２７に記載の装置。
【請求項２９】
サービングセルの時分割複信（ＴＤＤ）構成のサブフレームをアンカーサブフレームのセットと非アンカーサブフレームのセットとにグループ化するための手段と、
アンカーサブフレームの前記セットと非アンカーサブフレームの前記セットとのためのそれぞれのアップリンク（ＵＬ）送信電力を計算するための手段と
を備える、ワイヤレス通信のための装置。
【請求項３０】
サブフレームをグループ化するための前記手段は、前記サービングセルと近隣セルとの対応するサブフレームが前記サービングセル中のＵＬサブフレームと前記近隣セル中のＵＬサブフレームとを備えるとき、前記サービングセルの１つまたは複数のサブフレームをアンカーフレームに指定するように構成された、請求項２９に記載の装置。
【請求項３１】
サブフレームをグループ化するための前記手段は、前記サービングセルと近隣セルとの対応するサブフレームが前記サービングセル中のＵＬサブフレームと前記近隣セル中のＤＬサブフレームとを備えるとき、前記サービングセルの１つまたは複数のサブフレームを非アンカーサブフレームに指定するように構成された、請求項２９に記載の装置。
【請求項３２】
ＵＬ送信電力を計算するための前記手段が、アンカーサブフレームの前記セットと非アンカーサブフレームの前記セットとのための別個のＴＰＣコマンドを受信するための手段を備える、請求項２９に記載の装置。
【請求項３３】
アンカーサブフレームのためのＵＬ送信電力を計算するための前記手段が、アンカーサブフレームの前記セットに属するサブフレーム中で計算された前記ＴＰＣコマンドに基づいて、ＵＬ送信電力を蓄積するか、または完全に設定するように構成された、請求項３２に記載の装置。
【請求項３４】
非アンカーサブフレームのためのＵＬ送信電力を計算するための前記手段が、非アンカーサブフレームの前記セットに属するサブフレーム中で計算された前記ＴＰＣコマンドに基づいて、ＵＬ送信電力を蓄積するか、または完全に設定するように構成された、請求項３２に記載の装置。
【請求項３５】
サービングセルの時分割複信（ＴＤＤ）構成サブフレームと近隣セルの対応するＴＤＤ構成サブフレームとの間の干渉タイプを判断することと、
前記干渉タイプに基づいて前記サービングセル中の装置のための送信電力を設定することと
を行うように構成された処理システム
を備える、ワイヤレス通信のための装置。
【請求項３６】
前記サービングセル中の前記装置がユーザ機器（ＵＥ）を備え、前記処理システムが、前記ＵＥのためにアップリンク（ＵＬ）開ループ電力制御パラメータのセットを適用するように構成された、請求項３５に記載の装置。
【請求項３７】
前記処理システムは、
前記サービングセルと前記近隣セルとの対応するサブフレームがＵＬサブフレームであるとき、ＵＬ−ＵＬ干渉タイプを識別することと、
前記サービングセルと前記近隣セルとの対応するサブフレームが前記サービングセル中のＵＬサブフレームと前記近隣セル中のダウンリンク（ＤＬ）サブフレームとを備えるとき、ＵＬ−ＤＬ干渉タイプを識別することと
を行うように構成された、請求項３６に記載の装置。
【請求項３８】
ＵＬ開ループ制御パラメータの前記セットがＵＥ固有構成要素ＰOとセル固有パラメータαとを備え、前記処理システムが、ＵＬ−ＵＬ干渉タイプをもつ前記サブフレームのために第１のＰOを適用することと、ＵＬ−ＤＬ干渉タイプをもつ前記サブフレームのために第２のＰOを適用することとを行うように構成された、請求項３７に記載の装置。
【請求項３９】
ＵＬ開ループ制御パラメータの前記セットがＵＥ固有構成要素ＰOとセル固有パラメータαとを備え、前記処理システムが、ＵＬ−ＵＬ干渉タイプをもつ前記サブフレームのために第１のαを適用することと、ＵＬ−ＤＬ干渉タイプをもつ前記サブフレームのために第２のαを適用することと
を行うように構成された、請求項３７に記載の装置。
【請求項４０】
ＵＬ開ループ制御パラメータの前記セットがＵＥ固有構成要素ＰOとセル固有パラメータαとを備え、前記処理システムが、
ＵＬ−ＵＬ干渉タイプをもつ前記サブフレームのために第１のＰOを適用することと、ＵＬ−ＤＬ干渉タイプをもつ前記サブフレームのために第２のＰOを適用することと、
ＵＬ−ＵＬ干渉タイプをもつ前記サブフレームのために第１のαを適用することと、ＵＬ−ＤＬ干渉タイプをもつ前記サブフレームのために第２のαを適用することと
を行うように構成された、請求項３７に記載の装置。
【請求項４１】
前記サービングセル中の前記装置が基地局（ｅＮＢ）を備え、前記処理システムが、前記ｅＮＢのためのＤＬ送信電力を設定するように構成された、請求項３５に記載の装置。
【請求項４２】
前記処理システムは、
前記サービングセルと前記近隣セルとの対応するサブフレームが、両方ともＤＬサブフレームであるか、または両方ともスペシャルサブフレームであるとき、ＤＬ−ＤＬ干渉タイプを識別することと、
前記サービングセルと前記近隣セルとの対応するサブフレームが前記サービングセル中のＤＬサブフレームと前記近隣セル中のＵＬサブフレームとを備えるとき、ＤＬ−ＵＬ干渉タイプを識別することと
を行うように構成された、請求項４１に記載の装置。
【請求項４３】
前記処理システムが、ＤＬ−ＤＬ干渉の場合、前記ＤＬ送信電力を固定の全電力ＤＬ送信に設定するように構成された、請求項４２に記載の装置。
【請求項４４】
前記処理システムが、ＤＬ−ＵＬ干渉の場合、前記近隣セルのＵＬ開ループ電力制御パラメータに従って前記ＤＬ送信電力を調整するように構成された、請求項４２に記載の装置。
【請求項４５】
前記近隣セルの前記ＵＬ開ループ電力制御パラメータが構成要素ＰOとセル固有パラメータαとを備える、請求項４４に記載の装置。
【請求項４６】
サービングセルの時分割複信（ＴＤＤ）構成のサブフレームをアンカーサブフレームのセットと非アンカーサブフレームのセットとにグループ化することと、
アンカーサブフレームの前記セットと非アンカーサブフレームの前記セットとのためのそれぞれのアップリンク（ＵＬ）送信電力を計算することと
を行うように構成された処理システムを備える、ワイヤレス通信のための装置。
【請求項４７】
前記処理システムは、前記サービングセルと近隣セルとの対応するサブフレームが前記サービングセル中のＵＬサブフレームと前記近隣セル中のＵＬサブフレームとを備えるとき、前記サービングセルの１つまたは複数のＵＬサブフレームをアンカーフレームに指定するように構成された、請求項４６に記載の装置。
【請求項４８】
前記処理システムは、前記サービングセルと近隣セルとの対応するサブフレームが前記サービングセル中のＵＬサブフレームと前記近隣セル中のＤＬサブフレームとを備えるとき、前記サービングセルの１つまたは複数のＵＬサブフレームを非アンカーサブフレームに指定するように構成された、請求項４６に記載の装置。
【請求項４９】
前記処理システムが、アンカーサブフレームの前記セットと非アンカーサブフレームの前記セットとのための別個のＴＰＣコマンドを受信するように構成された、請求項４６に記載の装置。
【請求項５０】
前記処理システムが、アンカーサブフレームの前記セットに属するサブフレーム中で計算された前記ＴＰＣコマンドに基づいて、ＵＬ送信電力を蓄積するか、または完全に設定するように構成された、請求項４９に記載の装置。
【請求項５１】
前記処理システムが、非アンカーサブフレームの前記セットに属するサブフレーム中で計算された前記ＴＰＣコマンドに基づいて、ＵＬ送信電力を蓄積するか、または完全に設定するように構成された、請求項４９に記載の装置。
【請求項５２】
サービングセルの時分割複信（ＴＤＤ）構成サブフレームと近隣セルの対応するＴＤＤ構成サブフレームとの間の干渉タイプを判断することと、
前記干渉タイプに基づいて前記サービングセル中の装置のための送信電力を設定することと
を行うためのコードを備える、コンピュータ可読記憶媒体。
【請求項５３】
前記サービングセル中の前記装置がユーザ機器（ＵＥ）を備え、前記コンピュータ可読記憶媒体が、前記ＵＥのためにアップリンク（ＵＬ）開ループ電力制御パラメータのセットを適用するためのコードをさらに備える、請求項５２に記載のコンピュータ可読記憶媒体。
【請求項５４】
前記サービングセルと前記近隣セルとの対応するサブフレームがＵＬサブフレームであるとき、ＵＬ−ＵＬ干渉タイプを識別することと、
前記サービングセルと前記近隣セルとの対応するサブフレームが前記サービングセル中のＵＬサブフレームと前記近隣セル中のダウンリンク（ＤＬ）サブフレームとを備えるとき、ＵＬ−ＤＬ干渉タイプを識別することと
を行うためのコードをさらに備える、請求項５３に記載のコンピュータ可読記憶媒体。
【請求項５５】
ＵＬ開ループ制御パラメータの前記セットがＵＥ固有構成要素ＰOとセル固有パラメータαとを備え、前記コンピュータ可読記憶媒体が、ＵＬ−ＵＬ干渉タイプをもつ前記サブフレームのために第１のＰOを適用することと、ＵＬ−ＤＬ干渉タイプをもつ前記サブフレームのために第２のＰOを適用することとを行うためのコードをさらに備える、請求項５４に記載のコンピュータ可読記憶媒体。
【請求項５６】
ＵＬ開ループ制御パラメータの前記セットがＵＥ固有構成要素ＰOとセル固有パラメータαとを備え、前記コンピュータ可読記憶媒体が、ＵＬ−ＵＬ干渉タイプをもつ前記サブフレームのために第１のαを適用することと、ＵＬ−ＤＬ干渉タイプをもつ前記サブフレームのために第２のαを適用することとを行うためのコードをさらに備える、請求項５４に記載のコンピュータ可読記憶媒体。
【請求項５７】
ＵＬ開ループ制御パラメータの前記セットがＵＥ固有構成要素ＰOとセル固有パラメータαとを備え、前記コンピュータ可読記憶媒体が、
ＵＬ−ＵＬ干渉タイプをもつ前記サブフレームのために第１のＰOを適用することと、ＵＬ−ＤＬ干渉タイプをもつ前記サブフレームのために第２のＰOを適用することと、
ＵＬ−ＵＬ干渉タイプをもつ前記サブフレームのために第１のαを適用することと、ＵＬ−ＤＬ干渉タイプをもつ前記サブフレームのために第２のαを適用することと
を行うためのコードをさらに備える、請求項５４に記載のコンピュータ可読記憶媒体。
【請求項５８】
前記サービングセル中の前記装置が基地局（ｅＮＢ）を備え、前記コンピュータ可読記憶媒体が、前記ｅＮＢのためのＤＬ送信電力を設定するためのコードをさらに備える、請求項５２に記載のコンピュータ可読記憶媒体。
【請求項５９】
前記サービングセルと前記近隣セルとの対応するサブフレームが、両方ともＤＬサブフレームであるか、または両方ともスペシャルサブフレームであるとき、ＤＬ−ＤＬ干渉タイプを識別することと、
前記サービングセルと前記近隣セルとの対応するサブフレームが前記サービングセル中のＤＬサブフレームと前記近隣セル中のＵＬサブフレームとを備えるとき、ＤＬ−ＵＬ干渉タイプを識別することとを
行うためのコードをさらに備える、請求項５８に記載のコンピュータ可読記憶媒体。
【請求項６０】
ＤＬ−ＤＬ干渉の場合、前記ＤＬ送信電力を固定の全電力ＤＬ送信に設定するためのコードをさらに備える、請求項５９に記載のコンピュータ可読記憶媒体。
【請求項６１】
ＤＬ−ＵＬ干渉の場合、前記近隣セルのＵＬ開ループ電力制御パラメータに従って前記ＤＬ送信電力を調整するためのコードをさらに備える、請求項５９に記載のコンピュータ可読記憶媒体。
【請求項６２】
前記近隣セルの前記ＵＬ開ループ電力制御パラメータが構成要素ＰOとセル固有パラメータαとを備える、請求項６１に記載のコンピュータ可読記憶媒体。
【請求項６３】
サービングセルの時分割複信（ＴＤＤ）構成のサブフレームをアンカーサブフレームのセットと非アンカーサブフレームのセットとにグループ化することと、
アンカーサブフレームの前記セットと非アンカーサブフレームの前記セットとのためのそれぞれのアップリンク（ＵＬ）送信電力を計算することと
を行うためのコードを備えるコンピュータ可読記憶媒体。
【請求項６４】
前記サービングセルと近隣セルとの対応するサブフレームが前記サービングセル中のＵＬサブフレームと前記近隣セル中のＵＬサブフレームとを備えるとき、前記サービングセルの１つまたは複数のＵＬサブフレームをアンカーフレームに指定するためのコードをさらに備える、請求項６３に記載のコンピュータ可読記憶媒体。
【請求項６５】
前記サービングセルと近隣セルとの対応するサブフレームが前記サービングセル中のＵＬサブフレームと前記近隣セル中のＤＬサブフレームとを備えるとき、前記サービングセルの１つまたは複数のＵＬサブフレームを非アンカーサブフレームに指定するためのコードをさらに備える、請求項６３に記載のコンピュータ可読記憶媒体。
【請求項６６】
アンカーサブフレームの前記セットと非アンカーサブフレームの前記セットとのための別個のＴＰＣコマンドを受信するためのコードをさらに備える、請求項６３に記載のコンピュータ可読記憶媒体。
【請求項６７】
アンカーサブフレームの前記セットに属するサブフレーム中で計算された前記ＴＰＣコマンドに基づいて、ＵＬ送信電力を蓄積するか、または完全に設定するためのコードをさらに備える、請求項６６に記載のコンピュータ可読記憶媒体。
【請求項６８】
非アンカーサブフレームの前記セットに属するサブフレーム中で計算された前記ＴＰＣコマンドに基づいて、ＵＬ送信電力を蓄積するか、または完全に設定するためのコードをさらに備える、請求項６６に記載のコンピュータ可読記憶媒体。
【手続補正２】
【補正対象書類名】明細書
【補正対象項目名】０１０８
【補正方法】変更
【補正の内容】
【０１０８】
[0140]以上の説明は、当業者が本明細書で説明された様々な態様を実行できるようにするために提供される。これらの態様に対する様々な変更は当業者には容易に明らかであり、本明細書で定義した一般的原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明された様々な態様の要素のすべての構造的および機能的均等物は、参照により本明細書に明確に組み込まれ、特許請求の範囲に包含されるものである。さらに、本明細書に開示するいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
以下に、本願出願の当初の特許請求の範囲に記載された発明を付記する。
［Ｃ１］
サービングセルの時分割複信（ＴＤＤ）構成サブフレームと近隣セルの対応するＴＤＤ構成サブフレームとの間の干渉タイプを判断することと、
前記干渉タイプに基づいて前記サービングセル中の装置のための送信電力を設定することとを備える、ワイヤレス通信の方法。
［Ｃ２］
前記サービングセル中の前記装置がユーザ機器（ＵＥ）を備え、送信電力を設定することが、前記ＵＥのためにアップリンク（ＵＬ）開ループ電力制御パラメータのセットを適用することを備える、Ｃ１に記載の方法。
［Ｃ３］
干渉タイプを判断することは、
前記サービングセルと前記近隣セルとの対応するサブフレームがＵＬサブフレームであるとき、ＵＬ−ＵＬ干渉タイプを識別することと、
前記サービングセルと前記近隣セルとの対応するサブフレームが前記サービングセル中のＵＬサブフレームと前記近隣セル中のダウンリンク（ＤＬ）サブフレームとを備えるとき、ＵＬ−ＤＬ干渉タイプを識別することとを備える、Ｃ２に記載の方法。
［Ｃ４］
ＵＬ開ループ制御パラメータの前記セットがＵＥ固有構成要素ＰOとセル固有パラメータαとを備え、ＵＬ開ループ電力制御パラメータのセットを適用することが、ＵＬ−ＵＬ干渉タイプをもつ前記ＵＬサブフレーム中で第１のＰOを適用することと、ＵＬ−ＤＬ干渉タイプをもつ前記ＵＬサブフレーム中で第２のＰOを適用することとを備える、Ｃ３に記載の方法。
［Ｃ５］
ＵＬ開ループ制御パラメータの前記セットがＵＥ固有構成要素ＰOとセル固有パラメータαとを備え、ＵＬ開ループ電力制御パラメータのセットを適用することが、ＵＬ−ＵＬ干渉タイプをもつ前記ＵＬサブフレーム中で第１のαを適用することと、ＵＬ−ＤＬ干渉タイプをもつ前記ＵＬサブフレーム中で第２のαを適用することとを備える、Ｃ３に記載の方法。
［Ｃ６］
ＵＬ開ループ制御パラメータの前記セットがＵＥ固有構成要素ＰOとセル固有パラメータαとを備え、ＵＬ開ループ電力制御パラメータのセットを適用することが、
ＵＬ−ＵＬ干渉タイプをもつ前記ＵＬサブフレーム中で第１のＰOを適用することと、ＵＬ−ＤＬ干渉タイプをもつ前記ＵＬサブフレーム中で第２のＰOを適用することと、
ＵＬ−ＵＬ干渉タイプをもつ前記ＵＬサブフレーム中で第１のαを適用することと、ＵＬ−ＤＬ干渉タイプをもつ前記ＵＬサブフレーム中で第２のαを適用することとを備える、Ｃ３に記載の方法。
［Ｃ７］
前記サービングセル中の前記装置が基地局（ｅＮＢ）を備え、前記送信電力を設定することが、前記ｅＮＢのためのＤＬ送信電力を設定することを備える、Ｃ１に記載の方法。
［Ｃ８］
干渉タイプを判断することは、
前記サービングセルと前記近隣セルとの対応するサブフレームが、両方ともＤＬサブフレームであるか、または両方ともスペシャルサブフレームであるとき、ＤＬ−ＤＬ干渉タイプを識別することと、
前記サービングセルと前記近隣セルとの対応するサブフレームが前記サービングセル中のＤＬサブフレームと前記近隣セル中のＵＬサブフレームとを備えるとき、ＤＬ−ＵＬ干渉タイプを識別することとを備える、Ｃ７に記載の方法。
［Ｃ９］
ＤＬ−ＤＬ干渉タイプＤＬサブフレームの場合、ＤＬ送信電力を設定することが、前記ＤＬ送信電力を固定の全電力ＤＬ送信に設定することを備える、Ｃ８に記載の方法。
［Ｃ１０］
ＤＬ−ＵＬ干渉タイプＤＬサブフレームの場合、ＤＬ送信電力を設定することが、前記近隣セルのＵＬ開ループ電力制御パラメータに従って前記ＤＬ送信電力を調整することを備える、Ｃ８に記載の方法。
［Ｃ１１］
前記近隣セルの前記ＵＬ開ループ電力制御パラメータが構成要素ＰOとセル固有パラメータαとを備える、Ｃ１０に記載の方法。
［Ｃ１２］
サービングセルの時分割複信（ＴＤＤ）構成のサブフレームをアンカーサブフレームのセットと非アンカーサブフレームのセットとにグループ化することと、
アンカーサブフレームの前記セットと非アンカーサブフレームの前記セットとのためのそれぞれのアップリンク（ＵＬ）送信電力を計算することとを備える、ワイヤレス通信の方法。
［Ｃ１３］
サブフレームをグループ化することは、
前記サービングセルと近隣セルとの対応するサブフレームが前記サービングセル中のＵＬサブフレームと前記近隣セル中のＵＬサブフレームとを備えるとき、前記サービングセルの１つまたは複数のサブフレームをアンカーフレームに指定することを備える、Ｃ１２に記載の方法。
［Ｃ１４］
サブフレームをグループ化することは、
前記サービングセルと近隣セルとの対応するサブフレームが前記サービングセル中のＵＬサブフレームと前記近隣セル中の（ダウンリンク）ＤＬサブフレームとを備えるとき、前記サービングセルの１つまたは複数のサブフレームを非アンカーサブフレームに指定することを備える、Ｃ１２に記載の方法。
［Ｃ１５］
ＵＬ送信電力を計算することが、アンカーサブフレームの前記セットと非アンカーサブフレームの前記セットとのための別個のＴＰＣコマンドを受信することを備える、Ｃ１２に記載の方法。
［Ｃ１６］
アンカーサブフレームのためのＵＬ送信電力を計算することが、アンカーサブフレームの前記セットに属するサブフレーム中で計算された前記ＴＰＣコマンドに基づいて、ＵＬ送信電力を蓄積するか、または完全に設定することを備える、Ｃ１５に記載の方法。
［Ｃ１７］
非アンカーサブフレームのためのＵＬ送信電力を計算することが、非アンカーサブフレームの前記セットに属するサブフレーム中で計算された前記ＴＰＣコマンドに基づいて、ＵＬ送信電力を蓄積するか、または完全に設定することを備える、Ｃ１５に記載の方法。
［Ｃ１８］
サービングセルの時分割複信（ＴＤＤ）構成サブフレームと近隣セルの対応するＴＤＤ構成サブフレームとの間の干渉タイプを判断するための手段と、
前記干渉タイプに基づいて前記サービングセル中の装置のための送信電力を設定するための手段とを備える、ワイヤレス通信のための装置。
［Ｃ１９］
前記サービングセル中の前記装置がユーザ機器（ＵＥ）を備え、送信電力を設定するための前記手段が、前記ＵＥのためにアップリンク（ＵＬ）開ループ電力制御パラメータのセットを適用するための手段を備える、Ｃ１８に記載の装置。
［Ｃ２０］
干渉タイプを判断するための前記手段は、
前記サービングセルと前記近隣セルとの対応するサブフレームがＵＬサブフレームであるとき、ＵＬ−ＵＬ干渉タイプを識別することと、
前記サービングセルと前記近隣セルとの対応するサブフレームが前記サービングセル中のＵＬサブフレームと前記近隣セル中のダウンリンク（ＤＬ）サブフレームとを備えるとき、ＵＬ−ＤＬ干渉タイプを識別することとを行うように構成された、Ｃ１９に記載の装置。
［Ｃ２１］
ＵＬ開ループ制御パラメータの前記セットがＵＥ固有構成要素ＰOとセル固有パラメータαとを備え、ＵＬ開ループ電力制御パラメータのセットを適用するための前記手段が、ＵＬ−ＵＬ干渉タイプをもつ前記サブフレームのために第１のＰOを適用することと、ＵＬ−ＤＬ干渉タイプをもつ前記サブフレームのために第２のＰOを適用することとを行うように構成された、Ｃ２０に記載の装置。
［Ｃ２２］
ＵＬ開ループ制御パラメータの前記セットがＵＥ固有構成要素ＰOとセル固有パラメータαとを備え、ＵＬ開ループ電力制御パラメータのセットを適用するための前記手段が、ＵＬ−ＵＬ干渉タイプをもつ前記サブフレームのために第１のαを適用することと、をもつ前記ＵＬ−ＤＬ干渉タイプサブフレームのために第２のαを適用することとを行うように構成された、Ｃ２０に記載の装置。
［Ｃ２３］
ＵＬ開ループ制御パラメータの前記セットがＵＥ固有構成要素ＰOとセル固有パラメータαとを備え、ＵＬ開ループ電力制御パラメータのセットを適用するための前記手段が、
ＵＬ−ＵＬ干渉タイプをもつ前記サブフレームのために第１のＰOを適用することと、ＵＬ−ＤＬ干渉タイプをもつ前記サブフレームのために第２のＰOを適用することと、
ＵＬ−ＵＬ干渉タイプをもつ前記サブフレームのために第１のαを適用することと、ＵＬ−ＤＬ干渉タイプをもつ前記サブフレームのために第２のαを適用することとを行うように構成された、Ｃ２０に記載の装置。
［Ｃ２４］
前記サービングセル中の前記装置が基地局（ｅＮＢ）を備え、前記送信電力を設定するための前記手段が、前記ｅＮＢのためのＤＬ送信電力を設定するための手段を備える、Ｃ１８に記載の装置。
［Ｃ２５］
干渉タイプを判断するための前記手段は、
前記サービングセルと前記近隣セルとの対応するサブフレームが、両方ともＤＬサブフレームであるか、または両方ともスペシャルサブフレームであるとき、ＤＬ−ＤＬ干渉タイプを識別することと、
前記サービングセルと前記近隣セルとの対応するサブフレームが前記サービングセル中のＤＬサブフレームと前記近隣セル中のＵＬサブフレームとを備えるとき、ＤＬ−ＵＬ干渉タイプを識別することとを行うように構成された、Ｃ２４に記載の装置。
［Ｃ２６］
ＤＬ送信電力を設定するための前記手段が、ＤＬ−ＤＬ干渉の場合、前記ＤＬ送信電力を固定の全電力ＤＬ送信に設定するように構成された、Ｃ２５に記載の装置。
［Ｃ２７］
ＤＬ送信電力を設定するための前記手段が、ＤＬ−ＵＬ干渉の場合、前記近隣セルのＵＬ開ループ電力制御パラメータに従って前記ＤＬ送信電力を調整するように構成された、Ｃ２５に記載の装置。
［Ｃ２８］
前記近隣セルの前記ＵＬ開ループ電力制御パラメータが構成要素ＰOとセル固有パラメータαとを備える、Ｃ２７に記載の装置。
［Ｃ２９］
サービングセルの時分割複信（ＴＤＤ）構成のサブフレームをアンカーサブフレームのセットと非アンカーサブフレームのセットとにグループ化するための手段と、
アンカーサブフレームの前記セットと非アンカーサブフレームの前記セットとのためのそれぞれのアップリンク（ＵＬ）送信電力を計算するための手段とを備える、ワイヤレス通信のための装置。
［Ｃ３０］
サブフレームをグループ化するための前記手段は、前記サービングセルと近隣セルとの対応するサブフレームが前記サービングセル中のＵＬサブフレームと前記近隣セル中のＵＬサブフレームとを備えるとき、前記サービングセルの１つまたは複数のサブフレームをアンカーフレームに指定するように構成された、Ｃ２９に記載の装置。
［Ｃ３１］
サブフレームをグループ化するための前記手段は、前記サービングセルと近隣セルとの対応するサブフレームが前記サービングセル中のＵＬサブフレームと前記近隣セル中のＤＬサブフレームとを備えるとき、前記サービングセルの１つまたは複数のサブフレームを非アンカーサブフレームに指定するように構成された、Ｃ２９に記載の装置。
［Ｃ３２］
ＵＬ送信電力を計算するための前記手段が、アンカーサブフレームの前記セットと非アンカーサブフレームの前記セットとのための別個のＴＰＣコマンドを受信するための手段を備える、Ｃ２９に記載の装置。
［Ｃ３３］
アンカーサブフレームのためのＵＬ送信電力を計算するための前記手段が、アンカーサブフレームの前記セットに属するサブフレーム中で計算された前記ＴＰＣコマンドに基づいて、ＵＬ送信電力を蓄積するか、または完全に設定するように構成された、Ｃ３２に記載の装置。
［Ｃ３４］
非アンカーサブフレームのためのＵＬ送信電力を計算するための前記手段が、非アンカーサブフレームの前記セットに属するサブフレーム中で計算された前記ＴＰＣコマンドに基づいて、ＵＬ送信電力を蓄積するか、または完全に設定するように構成された、Ｃ３２に記載の装置。
［Ｃ３５］
サービングセルの時分割複信（ＴＤＤ）構成サブフレームと近隣セルの対応するＴＤＤ構成サブフレームとの間の干渉タイプを判断することと、
前記干渉タイプに基づいて前記サービングセル中の装置のための送信電力を設定することとを行うように構成された処理システムを備える、ワイヤレス通信のための装置。
［Ｃ３６］
前記サービングセル中の前記装置がユーザ機器（ＵＥ）を備え、前記処理システムが、前記ＵＥのためにアップリンク（ＵＬ）開ループ電力制御パラメータのセットを適用するように構成された、Ｃ３５に記載の装置。
［Ｃ３７］
前記処理システムは、
前記サービングセルと前記近隣セルとの対応するサブフレームがＵＬサブフレームであるとき、ＵＬ−ＵＬ干渉タイプを識別することと、
前記サービングセルと前記近隣セルとの対応するサブフレームが前記サービングセル中のＵＬサブフレームと前記近隣セル中のダウンリンク（ＤＬ）サブフレームとを備えるとき、ＵＬ−ＤＬ干渉タイプを識別することとを行うように構成された、Ｃ３６に記載の装置。
［Ｃ３８］
ＵＬ開ループ制御パラメータの前記セットがＵＥ固有構成要素ＰOとセル固有パラメータαとを備え、前記処理システムが、ＵＬ−ＵＬ干渉タイプをもつ前記サブフレームのために第１のＰOを適用することと、ＵＬ−ＤＬ干渉タイプをもつ前記サブフレームのために第２のＰOを適用することとを行うように構成された、Ｃ３７に記載の装置。
［Ｃ３９］
ＵＬ開ループ制御パラメータの前記セットがＵＥ固有構成要素ＰOとセル固有パラメータαとを備え、前記処理システムが、ＵＬ−ＵＬ干渉タイプをもつ前記サブフレームのために第１のαを適用することと、ＵＬ−ＤＬ干渉タイプをもつ前記サブフレームのために第２のαを適用することとを行うように構成された、Ｃ３７に記載の装置。
［Ｃ４０］
ＵＬ開ループ制御パラメータの前記セットがＵＥ固有構成要素ＰOとセル固有パラメータαとを備え、前記処理システムが、
ＵＬ−ＵＬ干渉タイプをもつ前記サブフレームのために第１のＰOを適用することと、ＵＬ−ＤＬ干渉タイプをもつ前記サブフレームのために第２のＰOを適用することと、
ＵＬ−ＵＬ干渉タイプをもつ前記サブフレームのために第１のαを適用することと、ＵＬ−ＤＬ干渉タイプをもつ前記サブフレームのために第２のαを適用することとを行うように構成された、Ｃ３７に記載の装置。
［Ｃ４１］
前記サービングセル中の前記装置が基地局（ｅＮＢ）を備え、前記処理システムが、前記ｅＮＢのためのＤＬ送信電力を設定するように構成された、Ｃ３５に記載の装置。
［Ｃ４２］
前記処理システムは、
前記サービングセルと前記近隣セルとの対応するサブフレームが、両方ともＤＬサブフレームであるか、または両方ともスペシャルサブフレームであるとき、ＤＬ−ＤＬ干渉タイプを識別することと、
前記サービングセルと前記近隣セルとの対応するサブフレームが前記サービングセル中のＤＬサブフレームと前記近隣セル中のＵＬサブフレームとを備えるとき、ＤＬ−ＵＬ干渉タイプを識別することとを行うように構成された、Ｃ４１に記載の装置。
［Ｃ４３］
前記処理システムが、ＤＬ−ＤＬ干渉の場合、前記ＤＬ送信電力を固定の全電力ＤＬ送信に設定するように構成された、Ｃ４２に記載の装置。
［Ｃ４４］
前記処理システムが、ＤＬ−ＵＬ干渉の場合、前記近隣セルのＵＬ開ループ電力制御パラメータに従って前記ＤＬ送信電力を調整するように構成された、Ｃ４２に記載の装置。
［Ｃ４５］
前記近隣セルの前記ＵＬ開ループ電力制御パラメータが構成要素ＰOとセル固有パラメータαとを備える、Ｃ４４に記載の装置。
［Ｃ４６］
サービングセルの時分割複信（ＴＤＤ）構成のサブフレームをアンカーサブフレームのセットと非アンカーサブフレームのセットとにグループ化することと、
アンカーサブフレームの前記セットと非アンカーサブフレームの前記セットとのためのそれぞれのアップリンク（ＵＬ）送信電力を計算することとを行うように構成された処理システムを備える、ワイヤレス通信のための装置。
［Ｃ４７］
前記処理システムは、前記サービングセルと近隣セルとの対応するサブフレームが前記サービングセル中のＵＬサブフレームと前記近隣セル中のＵＬサブフレームとを備えるとき、前記サービングセルの１つまたは複数のＵＬサブフレームをアンカーフレームに指定するように構成された、Ｃ４６に記載の装置。
［Ｃ４８］
前記処理システムは、前記サービングセルと近隣セルとの対応するサブフレームが前記サービングセル中のＵＬサブフレームと前記近隣セル中のＤＬサブフレームとを備えるとき、前記サービングセルの１つまたは複数のＵＬサブフレームを非アンカーサブフレームに指定するように構成された、Ｃ４６に記載の装置。
［Ｃ４９］
前記処理システムが、アンカーサブフレームの前記セットと非アンカーサブフレームの前記セットとのための別個のＴＰＣコマンドを受信するように構成された、Ｃ４６に記載の装置。
［Ｃ５０］
前記処理システムが、アンカーサブフレームの前記セットに属するサブフレーム中で計算された前記ＴＰＣコマンドに基づいて、ＵＬ送信電力を蓄積するか、または完全に設定するように構成された、Ｃ４９に記載の装置。
［Ｃ５１］
前記処理システムが、非アンカーサブフレームの前記セットに属するサブフレーム中で計算された前記ＴＰＣコマンドに基づいて、ＵＬ送信電力を蓄積するか、または完全に設定するように構成された、Ｃ４９に記載の装置。
［Ｃ５２］
サービングセルの時分割複信（ＴＤＤ）構成サブフレームと近隣セルの対応するＴＤＤ構成サブフレームとの間の干渉タイプを判断することと、
前記干渉タイプに基づいて前記サービングセル中の装置のための送信電力を設定することとを行うためのコードを備えるコンピュータ可読媒体を備える、コンピュータプログラム製品。
［Ｃ５３］
前記サービングセル中の前記装置がユーザ機器（ＵＥ）を備え、前記コンピュータ可読媒体が、前記ＵＥのためにアップリンク（ＵＬ）開ループ電力制御パラメータのセットを適用するためのコードを備える、Ｃ５２に記載の製品。
［Ｃ５４］
前記コンピュータ可読媒体は、
前記サービングセルと前記近隣セルとの対応するサブフレームがＵＬサブフレームであるとき、ＵＬ−ＵＬ干渉タイプを識別することと、
前記サービングセルと前記近隣セルとの対応するサブフレームが前記サービングセル中のＵＬサブフレームと前記近隣セル中のダウンリンク（ＤＬ）サブフレームとを備えるとき、ＵＬ−ＤＬ干渉タイプを識別することとを行うためのコードを備える、Ｃ５３に記載の製品。
［Ｃ５５］
ＵＬ開ループ制御パラメータの前記セットがＵＥ固有構成要素ＰOとセル固有パラメータαとを備え、前記コンピュータ可読媒体が、ＵＬ−ＵＬ干渉タイプをもつ前記サブフレームのために第１のＰOを適用することと、ＵＬ−ＤＬ干渉タイプをもつ前記サブフレームのために第２のＰOを適用することとを行うためのコードを備える、Ｃ５４に記載の製品。
［Ｃ５６］
ＵＬ開ループ制御パラメータの前記セットがＵＥ固有構成要素ＰOとセル固有パラメータαとを備え、前記コンピュータ可読媒体が、ＵＬ−ＵＬ干渉タイプをもつ前記サブフレームのために第１のαを適用することと、ＵＬ−ＤＬ干渉タイプをもつ前記サブフレームのために第２のαを適用することとを行うためのコードを備える、Ｃ５４に記載の製品。
［Ｃ５７］
ＵＬ開ループ制御パラメータの前記セットがＵＥ固有構成要素ＰOとセル固有パラメータαとを備え、前記コンピュータ可読媒体が、
ＵＬ−ＵＬ干渉タイプをもつ前記サブフレームのために第１のＰOを適用することと、ＵＬ−ＤＬ干渉タイプをもつ前記サブフレームのために第２のＰOを適用することと、
ＵＬ−ＵＬ干渉タイプをもつ前記サブフレームのために第１のαを適用することと、ＵＬ−ＤＬ干渉タイプをもつ前記サブフレームのために第２のαを適用することとを行うためのコードを備える、Ｃ５４に記載の製品。
［Ｃ５８］
前記サービングセル中の前記装置が基地局（ｅＮＢ）を備え、前記コンピュータ可読媒体が、前記ｅＮＢのためのＤＬ送信電力を設定するためのコードを備える、Ｃ５２に記載の製品。
［Ｃ５９］
前記コンピュータ可読媒体は、
前記サービングセルと前記近隣セルとの対応するサブフレームが、両方ともＤＬサブフレームであるか、または両方ともスペシャルサブフレームであるとき、ＤＬ−ＤＬ干渉タイプを識別することと、
前記サービングセルと前記近隣セルとの対応するサブフレームが前記サービングセル中のＤＬサブフレームと前記近隣セル中のＵＬサブフレームとを備えるとき、ＤＬ−ＵＬ干渉タイプを識別することとを行うためのコードを備える、Ｃ５８に記載の製品。
［Ｃ６０］
前記コンピュータ可読媒体が、ＤＬ−ＤＬ干渉の場合、前記ＤＬ送信電力を固定の全電力ＤＬ送信に設定するためのコードを備える、Ｃ５９に記載の製品。
［Ｃ６１］
前記コンピュータ可読媒体が、ＤＬ−ＵＬ干渉の場合、前記近隣セルのＵＬ開ループ電力制御パラメータに従って前記ＤＬ送信電力を調整するためのコードを備える、Ｃ５９に記載の製品。
［Ｃ６２］
前記近隣セルの前記ＵＬ開ループ電力制御パラメータが構成要素ＰOとセル固有パラメータαとを備える、Ｃ６１に記載の製品。
［Ｃ６３］
サービングセルの時分割複信（ＴＤＤ）構成のサブフレームをアンカーサブフレームのセットと非アンカーサブフレームのセットとにグループ化することと、
アンカーサブフレームの前記セットと非アンカーサブフレームの前記セットとのためのそれぞれのアップリンク（ＵＬ）送信電力を計算することとを行うためのコードを備えるコンピュータ可読媒体を備える、コンピュータプログラム製品。
［Ｃ６４］
前記コンピュータ可読媒体は、前記サービングセルと近隣セルとの対応するサブフレームが前記サービングセル中のＵＬサブフレームと前記近隣セル中のＵＬサブフレームとを備えるとき、前記サービングセルの１つまたは複数のＵＬサブフレームをアンカーフレームに指定するためのコードを備える、Ｃ６３に記載の製品。
［Ｃ６５］
前記コンピュータ可読媒体は、前記サービングセルと近隣セルとの対応するサブフレームが前記サービングセル中のＵＬサブフレームと前記近隣セル中のＤＬサブフレームとを備えるとき、前記サービングセルの１つまたは複数のＵＬサブフレームを非アンカーサブフレームに指定するためのコードを備える、Ｃ６３に記載の方法。
［Ｃ６６］
前記コンピュータ可読媒体が、アンカーサブフレームの前記セットと非アンカーサブフレームの前記セットとのための別個のＴＰＣコマンドを受信するためのコードを備える、Ｃ６３に記載の方法。
［Ｃ６７］
前記コンピュータ可読媒体が、アンカーサブフレームの前記セットに属するサブフレーム中で計算された前記ＴＰＣコマンドに基づいて、ＵＬ送信電力を蓄積するか、または完全に設定するためのコードを備える、Ｃ６６に記載の方法。
［Ｃ６８］
前記コンピュータ可読媒体が、非アンカーサブフレームの前記セットに属するサブフレーム中で計算された前記ＴＰＣコマンドに基づいて、ＵＬ送信電力を蓄積するか、または完全に設定するためのコードを備える、Ｃ６６に記載の方法。